(57)【要約】【課題】利用側熱交換器における被加熱物の過剰な加熱を確実に防止可能な貯湯式給湯機を提供すること。【解決手段】本発明の貯湯式給湯機１００は、加熱手段（ヒートポンプユニット６０）からの湯を貯湯タンク１０に流入させる沸き上げ水循環流路と、加熱手段からの湯を熱源水として利用側熱交換器２２を通過させた後に加熱手段に送って再循環させる熱源水循環流路とを形成可能な流路系と、弁体の変位により、沸き上げ水循環流路を形成させる第一流路形態と、熱源水循環流路を形成させる第二流路形態とに切り替え可能な流路切替手段（三方弁３３）と、沸き上げ水循環流路に湯水を循環させる沸き上げ運転の実行中に、熱源水循環流路に熱源水を循環させる熱源水循環運転に移行する場合に、弁体が第一流路形態の位置から第二流路形態の位置に変位するまでの時間が長くなるように流路切替手段を制御するスロー切替制御を行う制御手段（制御部７０）とを備える。【選択図】図４
2014020760.tif 000002
【特許請求の範囲】
【請求項１】
湯水を貯留する貯湯タンクと、
水を加熱して湯を生成可能な加熱手段と、
湯水を循環させる循環ポンプと、
被加熱物と熱源水とを熱交換させることにより前記被加熱物を加熱する利用側熱交換器と、
前記貯湯タンクの下部領域から取り出した水を前記加熱手段に送り、前記加熱手段で加熱されて生成した湯を前記貯湯タンクに送って前記貯湯タンクの上部領域に流入させる沸き上げ水循環流路と、前記加熱手段で加熱されて生成した湯を前記熱源水として前記利用側熱交換器に送り、前記利用側熱交換器を通過した前記熱源水を前記加熱手段に送って再循環させる熱源水循環流路とを形成可能な流路系と、
弁体を有し、前記弁体の変位により、前記沸き上げ水循環流路を形成させる第一流路形態と、前記熱源水循環流路を形成させる第二流路形態とに切り替え可能な流路切替手段と、
前記沸き上げ水循環流路に前記循環ポンプにより湯水を循環させる沸き上げ運転の実行中に、前記流路切替手段を前記第一流路形態から前記第二流路形態に切り替えて、前記熱源水循環流路に前記循環ポンプにより前記熱源水を循環させて前記被加熱物を加熱する熱源水循環運転に移行する場合に、前記沸き上げ運転の非実行時に前記流路切替手段を前記第一流路形態から前記第二流路形態に切り替える場合に比べて、前記弁体が前記第一流路形態の位置から前記第二流路形態の位置に変位するまでの時間が長くなるように前記流路切替手段の動作を制御するスロー切替制御を行う制御手段と、
を備える貯湯式給湯機。
【請求項２】
前記貯湯タンクの前記下部領域と前記循環ポンプの吸入口とを接続する流路の途中に前記流路切替手段として設けられた第一流路切替弁と、
前記加熱手段の出湯口と前記貯湯タンクの前記上部領域とを接続する流路の途中に設けられた第二流路切替弁と、
前記第二流路切替弁と前記貯湯タンクの前記上部領域とを接続する流路から分岐して、前記利用側熱交換器に接続された利用側熱交換器一次側入口配管と、
前記利用側熱交換器と、前記第一流路切替弁とを接続する利用側熱交換器一次側出口配管と、
前記貯湯タンクに設けられた熱源水戻し口と前記第二流路切替弁とを接続する熱源水戻し流路と、
前記循環ポンプの吐出口と前記加熱手段の入水口とを接続する流路から分岐して前記第二流路切替弁に接続されたバイパス流路と、
を備え、
前記第一流路切替弁の前記第一流路形態は、前記貯湯タンクの前記下部領域を前記循環ポンプを介して前記加熱手段の入水口に連通させて前記利用側熱交換器一次側出口配管を遮断する流路形態であり、
前記第一流路切替弁の前記第二流路形態は、前記利用側熱交換器一次側出口配管を前記循環ポンプを介して前記加熱手段の入水口に連通させて前記貯湯タンクの前記下部領域と前記加熱手段の入水口との間を遮断する流路形態であり、
前記第二流路切替弁は、前記加熱手段の出湯口を前記貯湯タンクの前記上部領域に連通させて前記バイパス流路および前記熱源水戻し流路を遮断する流路形態と、前記バイパス流路を前記熱源水戻し流路に連通させて前記加熱手段の出湯口と前記貯湯タンクの前記上部領域との間を遮断する流路形態とを選択可能であり、
前記第一流路切替弁を前記第二流路形態に切り替え、前記第二流路切替弁により前記バイパス流路を前記熱源水戻し流路に連通させて前記加熱手段の出湯口と前記貯湯タンクの前記上部領域との間を遮断し、前記循環ポンプを稼動させることにより、前記貯湯タンクの前記上部領域から取り出された湯を前記利用側熱交換器一次側入口配管を通して前記熱源水として前記利用側熱交換器に送り、前記利用側熱交換器を通過した前記熱源水を前記利用側熱交換器一次側出口配管、前記第一流路切替弁、前記循環ポンプ、前記バイパス流路、前記第二流路切替弁および前記熱源水戻し流路の順に通過させて前記熱源水戻し口から前記貯湯タンク内に流入させる熱源水タンク戻し運転を実行可能である請求項１記載の貯湯式給湯機。
【請求項３】
前記循環ポンプにより前記熱源水を前記利用側熱交換器に供給しているときに、前記被加熱物の温度が目標温度となるように前記循環ポンプの出力を制御する循環ポンプ制御手段を備える請求項１または２記載の貯湯式給湯機。
【請求項４】
前記制御手段は、前記スロー切替制御において、前記弁体が前記第一流路形態の位置と前記第二流路形態の位置との間の複数の段階で一時停止するように前記弁体を断続的に変位させる請求項１乃至３の何れか１項記載の貯湯式給湯機。
【請求項５】
前記利用側熱交換器による加熱後の前記被加熱物の温度を検知する温度検知手段を備え、
前記制御手段は、前記スロー切替制御において、前記加熱後の前記被加熱物の温度が目標温度以下に安定している場合には前記弁体を一段階進め、前記加熱後の前記被加熱物の温度が前記目標温度以下に安定しない場合には、前記加熱後の前記被加熱物の温度が前記目標温度以下に安定するまで、または所定の待機時間が経過するまで、前記弁体を一時停止させる請求項４記載の貯湯式給湯機。
【請求項６】
前記制御手段は、前記スロー切替制御の実行中に、前記温度検知手段により検知された前記加熱後の前記被加熱物の温度に基づいて前記加熱手段により供給される熱量が不足しているか否かを判断し、前記加熱手段により供給される熱量が不足していると判断した場合には、前記スロー切替制御を中止して前記弁体を通常の速さで前記第二流路形態の位置まで変位させる請求項５記載の貯湯式給湯機。
【請求項７】
前記制御手段は、前記スロー切替制御において、前記弁体の一段階当たりの変位量を変化させる請求項４乃至６の何れか１項記載の貯湯式給湯機。
【請求項８】
前記制御手段は、前記スロー切替制御において、前記弁体が前記第一流路形態の位置から前記第二流路形態の位置に変位するまでの間を第一領域、第二領域および第三領域の順に分け、前記第二領域における前記弁体の一段階当たりの変位量を前記第一領域における前記弁体の一段階当たりの変位量より小さくし、前記第三領域における前記弁体の一段階当たりの変位量を前記第二領域における前記弁体の一段階当たりの変位量より大きくする請求項４乃至７の何れか１項記載の貯湯式給湯機。
【請求項９】
前記弁体が前記第一流路形態の位置と前記第二流路形態の位置との間にあるときの、前記加熱手段から前記貯湯タンクの前記上部領域への流量と、前記加熱手段から前記利用側熱交換器への流量との比率に基づいて、前記弁体の一段階当たりの変位量が設定されている請求項７または８記載の貯湯式給湯機。
【請求項１０】
前記利用側熱交換器は、浴槽から前記利用側熱交換器を経由して前記浴槽に戻るように循環する浴槽水を前記被加熱物として加熱するものである請求項１乃至９の何れか１項記載の貯湯式給湯機。
【発明の詳細な説明】
【技術分野】
【０００１】
本発明は、貯湯式給湯機に関する。
【背景技術】
【０００２】
貯湯タンクの下部から低温水を流出させ、この低温水をヒートポンプ式加熱源等の加熱手段にて沸き上げて貯湯タンクの上部に戻す沸き上げ運転を行うことにより、貯湯タンク内に湯を貯える貯湯式給湯機において、被加熱物（例えば、浴槽から循環する浴槽水）を加熱するための利用側熱交換器を備え、貯湯タンクまたは加熱手段から供給される湯を熱源水として利用側熱交換器に送る運転を行うことにより、浴槽の追焚き（保温または昇温）等を可能とする技術が知られている。
【０００３】
また、特許文献１には、給湯混合弁と、風呂混合弁と、風呂用熱交換器と、風呂用熱交換器と浴槽とを接続する風呂往き管および風呂戻り管と、風呂戻り管に設けた四方弁と、この四方弁の弁体位置を切り替える制御部とを備え、四方弁の第一弁口は風呂混合弁に連通する湯張り管に接続し、第二弁口は風呂戻り管の浴槽側と接続し、第３弁口は風呂往き管と接続し、第４弁口は風呂戻り管の風呂熱交換器側と接続し、給湯中に湯張り指令が発生した時は、四方弁の開度を低速で変化させ、湯張り流量を徐々に変化させることで、湯張りの開始時、停止時に使用中のシャワーや給湯栓から思わぬ高温の湯が放出されるような事態を防止するようにした貯湯式給湯機が開示されている。
【先行技術文献】
【特許文献】
【０００４】
【特許文献１】特開２００９−９２３０４号公報
【発明の概要】
【発明が解決しようとする課題】
【０００５】
貯湯タンク内に貯留された湯を熱源水として利用側熱交換器に送る運転と、加熱手段により加熱された湯を熱源水として利用側熱交換器に送る運転とを選択可能な貯湯式給湯機において、貯湯タンクの下部から流出させた低温水を加熱手段で加熱して生成した湯を貯湯タンクの上部に戻す沸き上げ運転の実行中に追焚き要求が発生した場合に、加熱手段により加熱された湯の送り先が貯湯タンクの上部から利用側熱交換器に切り替わるように流路を切り替える制御を行うことが考えられる。しかしながら、このような場合に、加熱手段により加熱された湯は、貯湯タンク内に貯留された湯よりも高温であるため、加熱手段により加熱された高温の湯が利用側熱交換器に流入することにより、利用側熱交換器内で浴槽水が過剰に加熱され、浴槽内の入浴者が不快に感じるような温度の湯が利用側熱交換器から浴槽へ供給される可能性がある。
【０００６】
本発明は、上述のような課題を解決するためになされたもので、利用側熱交換器における被加熱物の過剰な加熱を確実に防止可能な貯湯式給湯機を提供することを目的とする。
【課題を解決するための手段】
【０００７】
本発明に係る貯湯式給湯機は、湯水を貯留する貯湯タンクと、水を加熱して湯を生成可能な加熱手段と、湯水を循環させる循環ポンプと、被加熱物と熱源水とを熱交換させることにより被加熱物を加熱する利用側熱交換器と、貯湯タンクの下部領域から取り出した水を加熱手段に送り、加熱手段で加熱されて生成した湯を貯湯タンクに送って貯湯タンクの上部領域に流入させる沸き上げ水循環流路と、加熱手段で加熱されて生成した湯を熱源水として利用側熱交換器に送り、利用側熱交換器を通過した熱源水を加熱手段に送って再循環させる熱源水循環流路とを形成可能な流路系と、弁体を有し、弁体の変位により、沸き上げ水循環流路を形成させる第一流路形態と、熱源水循環流路を形成させる第二流路形態とに切り替え可能な流路切替手段と、沸き上げ水循環流路に循環ポンプにより湯水を循環させる沸き上げ運転の実行中に、流路切替手段を第一流路形態から第二流路形態に切り替えて、熱源水循環流路に循環ポンプにより熱源水を循環させて被加熱物を加熱する熱源水循環運転に移行する場合に、沸き上げ運転の非実行時に流路切替手段を第一流路形態から第二流路形態に切り替える場合に比べて、弁体が第一流路形態の位置から第二流路形態の位置に変位するまでの時間が長くなるように流路切替手段の動作を制御するスロー切替制御を行う制御手段と、を備えたものである。
【発明の効果】
【０００８】
本発明によれば、利用側熱交換器における被加熱物の過剰な加熱を確実に防止することが可能となる。
【図面の簡単な説明】
【０００９】
【図１】本発明の実施の形態１の貯湯式給湯機を示す構成図である。
【図２】本発明の実施の形態１における貯湯式給湯機の沸き上げ運転時の回路構成図である。
【図３】本発明の実施の形態１における貯湯式給湯機のタンク戻し追い焚き運転（熱源水タンク戻し運転）時の回路構成図である。
【図４】本発明の実施の形態１における貯湯式給湯機のヒートポンプ追い焚き運転（熱源水循環運転）時の回路構成図である。
【図５】本発明の実施の形態１における貯湯式給湯機が備える三方弁（流路切替手段）の斜視図である。
【図６】図５中の平面Ａでの三方弁（弁体位置０°）の断面図である。
【図７】図５中の平面Ａでの三方弁（弁体位置１８０°）の断面図である。
【図８】図５中の平面Ａでの三方弁（弁体位置９０°）の断面図である。
【図９】三方弁の弁体位置と、ａポートおよびｂポートの各々の循環流量との関係を示す循環流量特性図である。
【図１０】本発明の実施の形態１の貯湯式給湯機において三方弁を弁体位置０°から弁体位置１８０°へ通常の切り替え制御を行う場合の弁体位置変化特性を示す図である。
【図１１】本発明の実施の形態１の貯湯式給湯機において三方弁を弁体位置０°から弁体位置１８０°へスロー切替制御を行う場合の弁体位置変化特性を示す図である。
【図１２】本発明の実施の形態２の貯湯式給湯機において三方弁を弁体位置０°から弁体位置１８０°へスロー切替制御を行う場合の弁体位置変化特性を示す図である。
【図１３】本発明の実施の形態３の貯湯式給湯機において三方弁を弁体位置０°から弁体位置１８０°へスロー切替制御を行う場合の弁体位置変化特性を示す図である。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１の貯湯式給湯機を示す構成図である。
【００１２】
図１は、本発明の実施の形態１における貯湯式給湯機１００の構成図である。図１に示す貯湯式給湯機１００は、貯湯タンクユニット１と、ヒートポンプサイクルを利用するように構成されたヒートポンプユニット６０とを備えている。貯湯タンクユニット１と、ヒートポンプユニット６０とは、ヒートポンプ入口配管４１とヒートポンプ出口配管４２と図示しない電気配線とを介して接続されている。また、貯湯タンクユニット１には、制御部７０（制御手段）が内蔵されている。貯湯タンクユニット１およびヒートポンプユニット６０が備える各種の弁類、ポンプ類等の作動は、これらと電気的に接続された制御部７０により制御される。制御部７０は、例えば浴室や台所に設置されるリモコン装置等のユーザーインターフェース装置と相互に通信可能に接続される。以下、貯湯式給湯機１００の各構成要素について説明する。
【００１３】
ヒートポンプユニット６０は、貯湯タンクユニット１から導かれた水を加熱する（沸き上げる）ための加熱手段として機能するものである。ヒートポンプユニット６０は、圧縮機６１、沸き上げ用熱交換器６２、膨張弁６３、空気熱交換器６４を冷媒循環配管６５にて環状に接続した冷凍サイクル（ヒートポンプサイクル）を搭載している。沸き上げ用熱交換器６２は、冷媒循環配管６５を流れる冷媒と貯湯タンクユニット１から導かれた水との間で熱交換を行うためのものである。また、ＨＰ出口側温度センサ６６は、沸き上げ用熱交換器６２で加熱された湯（高温水）の温度を検知するセンサであり、ヒートポンプ出口配管４２に設けられている。ヒートポンプユニット６０で高温水を得るためには、ヒートポンプサイクルは、冷媒として二酸化炭素を用い、臨界圧を越える圧力で運転することが好ましい。
【００１４】
一方、貯湯タンクユニット１には、以下の各種部品や流路系を形成するための配管などが内蔵されている。貯湯タンク１０は、湯水を貯留するためのものである。貯湯タンク１０の下部に設けられた給水口１４には、水道等の外部の水源からの水を供給するための給水配管２が接続されている。貯湯タンク１０の上部領域（中間より上側の領域）に設けられた上部口１５には、タンク上部配管４３の一端が接続されている。タンク上部配管４３の途中から分岐した給湯配管３と、給水配管２から分岐した給水配管４とは、給湯混合弁３３にそれぞれ接続されている。給湯混合弁３３は、貯湯タンク１０の上部口１５から取り出されて給湯配管３を通って供給される高温の湯と、給水配管４から供給される低温水とを混合し、ユーザーが設定した給湯温度となるようにその混合比を調整する。給湯混合弁３３で混合された湯は、混合給湯配管５を経由して、例えば蛇口、シャワー等の外部給湯栓（図示せず）または浴槽５０へ供給される。なお、図示の構成と異なり、給湯配管３の上流端がタンク上部配管４３とは別個に貯湯タンク１０の上部に接続されていてもよい。
【００１５】
ヒートポンプユニット６０を用いて加熱されて生成された湯（高温水）が上部口１５から貯湯タンク１０内に流入し、給水配管２からの低温水が給水口１４から貯湯タンク１０内に流入することにより、貯湯タンク１０内には、上層側が高温で下層側が低温となるように温度成層が形成されて湯水を貯留可能になっている。貯湯タンク１０の表面には、貯湯タンク１０内の湯水の温度分布を検出するため、複数の貯湯温度センサ１１，１２がそれぞれ異なる高さ位置に取り付けられている。制御部７０は、それらの貯湯温度センサ１１，１２により取得された貯湯タンク１０内の高さ方向の温度分布に基づいて、貯湯タンク１０内の貯湯量（蓄熱量）を算出することができ、その貯湯量に基づいて、後述する沸き上げ運転の開始および停止などが制御される。
【００１６】
また、貯湯タンクユニット１内には、循環ポンプ２１および利用側熱交換器２２が内蔵されている。循環ポンプ２１は、各種配管に湯水を循環させるためのポンプである。利用側熱交換器２２は、貯湯タンク１０あるいはヒートポンプユニット６０から供給される湯を熱源水とし、この熱源水と熱交換することにより被加熱物を加熱するための熱交換器である。浴槽水循環回路５１は、浴槽５０から導出した湯水（浴槽水）を、利用側熱交換器２２を経由させて、浴槽５０に戻すように配設されている。浴槽水循環回路５１の途中には、浴槽水を循環させるための二次側循環ポンプ５２と、浴槽５０から出た浴槽水の温度を検知する浴槽出口側温度センサ５３と、利用側熱交換器２２から出て浴槽５０に戻る浴槽水の温度を検知する浴槽入口側温度センサ５５（温度検知手段）とが設置されている。このように、本実施形態では、利用側熱交換器２２の二次側の構成として、浴槽５０内の浴槽水を循環させる浴槽水循環回路５１を備え、利用側熱交換器２２にて浴槽水を加熱するものを例に説明するが、本発明における利用側熱交換器は、浴槽水以外の被加熱物（例えば、暖房用循環水など）を加熱するものであってもよい。
【００１７】
次に、貯湯タンクユニット１が備える弁類および配管類について説明する。貯湯タンクユニット１は、三方弁３１（流路切替手段、第一流路切替弁）と、四方弁３２（第二流路切替弁）とを有している。三方弁３１は、湯水が流入する２つの入口（ａポート、ｂポート）と、湯水が流出する１つの出口（ｃポート）とを有し、ａポートもしくはｂポートのどちらかから湯水が流入するように湯水の経路を切り替え可能（すなわち、ａ−ｃ経路、ｂ−ｃ経路の何れかに切り替え可能）に構成されている。四方弁３２は、湯水が流入する２つの入口（ｂポート、ｃポート）と、湯水が流出する２つの出口（ａポート、ｄポート）とを有し、３つの経路、すなわち、ｂ−ａ経路、ｃ−ａ経路、ｃ−ｄ経路の間で流路形態を切り替え可能に構成されている。
【００１８】
また、貯湯タンクユニット１は、タンク下部配管４０、タンク戻し配管４４（熱源水戻し流路）、利用側熱交換器一次側入口配管４５、利用側熱交換器一次側出口配管４６およびバイパス配管４７（バイパス流路）を更に備えている。
【００１９】
タンク下部配管４０は、貯湯タンク１０の下部領域（中間より下側の領域）に設けられた下部口１６と、三方弁３１のａポートとを接続する流路である。ヒートポンプ入口配管４１は、三方弁３１のｃポートと、ヒートポンプユニット６０の入水口（すなわち沸き上げ用熱交換器６２の入水口）とを接続する流路である。循環ポンプ２１は、ヒートポンプ入口配管４１の途中に設けられている。ヒートポンプ出口配管４２は、ヒートポンプユニット６０の出湯口（すなわち沸き上げ用熱交換器６２の出湯口）と、四方弁３２のｃポートとを接続する流路である。タンク上部配管４３は、四方弁３２のｄポートと、貯湯タンク１０の上部口１５とを接続する流路である。タンク戻し配管４４は、四方弁３２のａポートと、貯湯タンク１０の好ましくは中間部から下部の間に設けられた戻し口１７（熱源水戻し口）とを接続する流路である。利用側熱交換器一次側入口配管４５は、タンク上部配管４３の途中から分岐し、利用側熱交換器２２の一次側入口に接続される流路である。利用側熱交換器一次側出口配管４６は、利用側熱交換器２２の一次側出口と、三方弁３１のｂポートとを接続する流路である。バイパス配管４７は、ヒートポンプ入口配管４１における循環ポンプ２１の吐出口とヒートポンプユニット６０の入水口との間から分岐し、四方弁３２のｂポートに接続される流路である。
【００２０】
本実施形態の貯湯式給湯機１００では、以下の図２乃至４に示す運転状態に応じて三方弁３１を制御して、次の第一および第二の２つの流路形態の間で、貯湯タンクユニット１内の湯水の流路を切り替えて使用するようになっている。より具体的には、三方弁３１により選択可能な「第一流路形態」とは、貯湯タンク１０の下部口１６とヒートポンプユニット６０の入水口とがタンク下部配管４０、循環ポンプ２１およびヒートポンプ入口配管４１を介して連通し、利用側熱交換器一次側出口配管４６を遮断する流路形態（すなわちａ−ｃ経路）である。三方弁３１により選択可能な「第二流路形態」とは、利用側熱交換器一次側出口配管４６とヒートポンプユニット６０の入水口とが、循環ポンプ２１およびヒートポンプ入口配管４１を介して連通し、貯湯タンク１０の下部口１６とヒートポンプユニット６０の入水口との間を遮断する流路形態（すなわちｂ−ｃ経路）である。
【００２１】
また、本実施形態の貯湯式給湯機１００では、以下の図２乃至図４に示す運転状態に応じて四方弁３２を制御して、次の第一および第二の２つの流路形態の間で、流路を切り替えられるようになっている。より具体的には、四方弁３２により選択可能な「第一流路形態」とは、ヒートポンプユニット６０の出湯口と貯湯タンク１０の上部口１５とがヒートポンプ出口配管４２およびタンク上部配管４３を介して連通し、バイパス配管４７およびタンク戻し配管４４を遮断する流路形態（すなわちｃ−ｄ経路）である。四方弁３２により選択可能な「第二流路形態」とは、バイパス配管４７とタンク戻し配管４４とが連通し、ヒートポンプユニット６０の出湯口と貯湯タンク１０の上部口１５との間を遮断する流路形態（すなわちｂ−ａ経路）である。
【００２２】
図２は、本発明の実施の形態１における貯湯式給湯機１００の沸き上げ運転時の回路構成図である。沸き上げ運転（貯湯運転）とは、ヒートポンプユニット６０を利用して貯湯タンク１０内の水を沸き上げて湯とすることにより貯湯タンク１０内の貯湯量（蓄熱量）を増加させる運転である。この沸き上げ運転時には、三方弁３１は、ａポートとｃポートとが連通し、ｂポートが閉状態となるように（すなわち、三方弁３１の上記第一流路形態が選択されるように）制御される。これにより、タンク下部配管４０とヒートポンプ入口配管４１とが連通するとともに、利用側熱交換器一次側出口配管４６側を閉として利用側熱交換器２２からの流路が遮断される。また、沸き上げ運転時には、四方弁３２は、ｃポートとｄポートとが連通し、ａポートとｂポートとが閉状態となるように（すなわち、四方弁３２の上記第一流路形態が選択されるように）制御される。これにより、ヒートポンプ出口配管４２とタンク上部配管４３とが連通するとともに、タンク戻し配管４４側を閉として貯湯タンク１０の戻し口１７への流路が遮断される。
【００２３】
沸き上げ運転は、上記のように三方弁３１および四方弁３２が制御されることによって沸き上げ水循環流路が形成された状態で、循環ポンプ２１およびヒートポンプユニット６０を稼動させることにより実行される。その結果、貯湯タンク１０の下部口１６から流出する低温水は、タンク下部配管４０、三方弁３１、循環ポンプ２１およびヒートポンプ入口配管４１を経由してヒートポンプユニット６０に導かれ、沸き上げ用熱交換器６２において加熱された後、高温水となってヒートポンプ出口配管４２、四方弁３２およびタンク上部配管４３を経由して、貯湯タンク１０の上部口１５から貯湯タンク１０内に流入し貯えられる。このような沸き上げ運転が実行されることで、貯湯タンク１０の内部では、上層部から高温水が貯えられていき、この高温水層が徐々に厚くなる。
【００２４】
図３は、本発明の実施の形態１における貯湯式給湯機１００のタンク戻し追い焚き運転時の回路構成図である。タンク戻し追い焚き運転（熱源水タンク戻し運転）とは、二次側循環ポンプ５２を稼動させて浴槽５０内の浴槽水を浴槽水循環回路５１により利用側熱交換器２２の二次側に導くとともに、貯湯タンク１０の内部に貯えられた湯（高温水）を熱源水として利用側熱交換器２２の一次側に導くことで双方を熱交換させ、利用側熱交換器２２で加熱された浴槽水を浴槽５０内に戻すことにより、浴槽５０の温度をユーザーが設定した浴槽目標温度に保温または昇温する運転である。このタンク戻し追い焚き運転時には、四方弁３２は、ａポートとｂポートが連通し、ｃポートとｄポートが閉状態となるように（すなわち、四方弁３２の第二流路形態が選択されるように）制御される。また、三方弁３１は、ｂポートとｃポートが連通し、ａポートが閉状態となるように（すなわち、三方弁３１の第二の流路形態が選択されるように）制御される。これにより、バイパス配管４７とタンク戻し配管４４とが連通し、ヒートポンプ出口配管４２およびタンク上部配管４３が遮断されるとともに、利用側熱交換器一次側出口配管４６とヒートポンプ入口配管４１とが連通し、タンク下部配管４０が遮断される。タンク戻し追い焚き運転は、上記のように三方弁３１および四方弁３２が制御された状態で、循環ポンプ２１を稼動させることにより実行される。これにより、貯湯タンク１０の上部口１５から取り出された湯が熱源水としてタンク上部配管４３および利用側熱交換器一次側入口配管４５を通って利用側熱交換器２２に供給される。そして、利用側熱交換器２２で浴槽水に熱を与えて温度低下した熱源水は、利用側熱交換器一次側出口配管４６、三方弁３１、循環ポンプ２１、ヒートポンプ入口配管４１、バイパス配管４７、四方弁３２およびタンク戻し配管４４の順に通過し、戻し口１７から貯湯タンク１０内に流入する。
【００２５】
タンク戻し追い焚き運転の実行中、制御部７０は、浴槽水循環回路５１において利用側熱交換器２２の手前に設置してある浴槽出口側温度センサ５３により浴槽５０内の浴槽水の温度を常に監視するとともに、浴槽入口側温度センサ５５により検知される追い焚き湯温（利用側熱交換器２２で加熱されて浴槽５０へ送られる浴槽水の温度）に基づいて追い焚き加熱能力を制御する追い焚き湯温補正制御を行う。この追い焚き湯温補正制御では、制御部７０は、浴槽入口側温度センサ５５により検知される追い焚き湯温が、目標温度（例えば、ユーザーが設定した浴槽目標温度＋５℃）となるように、循環ポンプ２１の出力（例えば回転数）を制御する。すなわち、制御部７０は、追い焚き湯温が目標温度未満である場合には循環ポンプ２１の出力を増加させることにより追い焚き加熱能力を増加させ、追い焚き湯温が目標温度を超えている場合には循環ポンプ２１の出力を減少させることにより追い焚き加熱能力を減少させる。このような追い焚き湯温補正制御を行うことにより、利用側熱交換器２２から浴槽５０内に流入する湯水の温度を適温に制御することができ、タンク戻し追い焚き運転の実行中も浴槽５０内の入浴者が快適に入浴することができる。また、制御部７０は、浴槽出口側温度センサ５３で検知した浴槽５０内の浴槽水の温度がユーザーにより設定された浴槽目標温度に到達した場合には、タンク戻し追い焚き運転を停止する。
【００２６】
図４は、本発明の実施の形態１における貯湯式給湯機１００のヒートポンプ追い焚き運転時の回路構成図である。ヒートポンプ追い焚き運転（熱源水循環運転）とは、二次側循環ポンプ５２を稼動させて浴槽５０内の浴槽水を浴槽水循環回路５１により利用側熱交換器２２の二次側に導くとともに、ヒートポンプユニット６０を稼動させて沸き上げた湯（高温水）を熱源水として利用側熱交換器２２の一次側に導くことで双方を熱交換させ、利用側熱交換器２２で加熱された浴槽水を浴槽５０内に戻すことにより、浴槽５０の温度をユーザーが設定した浴槽目標温度に保温または昇温する運転である。このヒートポンプ追い焚き運転時には、四方弁３２は、ｃポートとｄポートが連通し、ａポートとｂポートが閉状態となるように（すなわち、四方弁３２の第一流路形態が選択されるように）制御される。また、三方弁３１は、ｂポートとｃポートが連通し、ａポートが閉状態となるように（すなわち、三方弁３１の第二の流路形態が選択されるように）制御される。これにより、ヒートポンプ出口配管４２と利用側熱交換器一次側入口配管４５、利用側熱交換器一次側出口配管４６、ヒートポンプ入口配管４１が連通し、タンク戻し配管４４側を閉として貯湯タンク１０の戻し口１７への流路が遮断される。
【００２７】
ヒートポンプ追い焚き運転は、上記のように三方弁３１および四方弁３２が制御されることによって熱源水循環流路が形成された状態で、循環ポンプ２１およびヒートポンプユニット６０を稼動させることにより実行される。これにより、ヒートポンプユニット６０の沸き上げ用熱交換器６２において加熱された高温の湯が熱源水としてヒートポンプ出口配管４２、四方弁３２、タンク上部配管４３および利用側熱交換器一次側入口配管４５を順次経由して利用側熱交換器２２に供給される。そして、利用側熱交換器２２で浴槽水に熱を与えて温度低下した熱源水は、利用側熱交換器一次側出口配管４６、三方弁３１、循環ポンプ２１およびヒートポンプ入口配管４１を順次経由してヒートポンプユニット６０の沸き上げ用熱交換器６２に送られ、再加熱されて再循環する。
【００２８】
ヒートポンプ追い焚き運転の実行中、制御部７０は、浴槽出口側温度センサ５３により浴槽５０内の浴槽水の温度を常に監視するとともに、タンク戻し追い焚き運転の実行時と同様にして追い焚き湯温補正制御を行う。また、制御部７０は、浴槽出口側温度センサ５３で検知した浴槽５０内の浴槽水がユーザーにより設定された浴槽目標温度に到達した場合には、ヒートポンプ追い焚き運転を停止する。
【００２９】
追い焚き運転の実施要求が発生した場合には、制御部７０は、貯湯式給湯機１００の状態等の条件に基づき、上述したタンク戻し追い焚き運転とヒートポンプ追い焚き運転との何れか一方を所定の規則に従って選択して実行する。ここで、「追い焚き運転の実施要求が発生した場合」とは、例えば、浴槽５０の温度をユーザーにより設定された浴槽目標温度に保温する保温モードの実施中に、浴槽出口側温度センサ５３にて計測される浴槽５０の温度と浴槽目標温度との差が所定値より大きくなって追い焚き運転を自動的に開始する場合や、あるいは、ユーザーがリモコン装置に追い焚き運転の実施指令を入力し、その実施指令の信号をリモコン装置から制御部７０が受信した場合などである。
【００３０】
次に、三方弁３１について図５乃至図８に基づいて詳細に説明する。図５は、三方弁３１の斜視図である。図６乃至図８は、それぞれ、図５中の平面Ａでの断面図である。図５に示すように、三方弁３１は、ａポート３１ａ、ｂポート３１ｂおよびｃポート３１ｃが設けられた弁枠３１ｅと、弁枠３１ｅの上部に設けられたステッピングモータ３１ｆとを有している。図６乃至図８に示すように、弁枠３１ｅの内部には、略円柱形状または略球形状の弁体３１ｈが設けられている。弁体３１ｈは、回転軸３１ｇを介してステッピングモータ３１ｆに接続されている。弁体３１ｈの内部には、Ｔ字状の連通部３１ｉが形成されている。このような三方弁３１は、ステッピングモータ３１ｆの駆動により、回転軸３１ｇを中心として弁体３１ｈが回転して、流路形態の切り替えを行う構成となっている。なお、図６乃至図８では、弁体３１ｈの周囲に設置されるシール部材の図示を省略しているため、弁体３１ｈと弁枠３１ｅの内壁との間に隙間が生じているが、実際にはこの隙間は図示しないシール部材により封止される。
【００３１】
図６は、ａポート３１ａとｃポート３１ｃとが連通し、ｂポート３１ｂが閉となる第一流路形態の状態を表している。このときの弁体３１ｈの位置（以下、「弁体位置」と称する）を０°とする。沸き上げ運転時には、三方弁３１は、図６に示す弁体位置０°の状態となる。また、本実施形態の貯湯式給湯機１００では、上述した沸き上げ運転、タンク戻し追い焚き運転、ヒートポンプ追い焚き運転等の循環ポンプ２１を稼動する運転を実行していない待機状態においては、三方弁３１を弁体位置０°の状態で待機させる。
【００３２】
図７は、ｂポート３１ｂとｃポート３１ｃとが連通し、ａポートが閉となる第二流路形態の状態を表している。このときの弁体位置は、図６に示す位置から１８０°回転しているので、１８０°となる。ヒートポンプ追い焚き運転時、あるいはタンク戻し追い焚き運転時には、三方弁３１は、図７に示す弁体位置１８０°の状態となる。
【００３３】
図８は、三方弁３１が図６の弁体位置０°（すなわち第一流路形態の位置）から図７の弁体位置１８０°（すなわち第二流路形態の位置）へ切り替わる途中の、弁体位置９０°の状態を表している。この状態では、ａポート３１ａとｂポート３１ｂとｃポート３１ｃとが連通する。
【００３４】
図９は、三方弁３１の弁体位置と、ａポート３１ａおよびｂポート３１ｂの各々の循環流量との関係を示す循環流量特性図である。図９に示されるように、この三方弁３１では、例えば図６に示す弁体位置０°から図７に示す弁体位置１８０°へ切り替える過程において、ａポート３１ａの循環流量は、図９（Ａ）に示すように、弁体３１ｈの変位に伴って減少する傾向となり、最終的に弁体位置１８０°までに閉塞状態となる。逆に、ｂポート３１ｂの循環流量は、図９（Ｂ）に示すように、弁体３１ｈの変位に伴って増加する傾向となり、最終的に弁体位置１８０°で最大流量に達する。
【００３５】
図１０は、三方弁３１を弁体位置０°から弁体位置１８０°へ通常の切り替え制御を行う場合の弁体位置変化特性を示す図である。図１０に示すように、本実施形態では、制御部７０が三方弁３１を弁体位置０°から弁体位置１８０°へ通常の切り替え制御を行う場合には、弁体３１ｈは１０秒で弁体位置０°から弁体位置１８０°まで変位する。ここで、制御部７０が三方弁３１を弁体位置０°から弁体位置１８０°へ通常の切り替え制御を行う場合とは、例えば、待機状態にて追い焚き運転の実施要求が発生したときにタンク戻し追い焚き運転を開始するために三方弁３１を弁体位置０°から弁体位置１８０°へ切り替える場合、あるいは待機状態にて追い焚き運転の実施要求が発生したときにヒートポンプ追い焚き運転を開始するために三方弁３１を弁体位置０°から弁体位置１８０°へ切り替える場合などである。なお、本実施形態では、図１０に示すように、三方弁３１を弁体位置０°から弁体位置１８０°へ通常の切り替え制御を行う場合、弁体３１ｈは一定速度で連続的に変位（回転）する。
【００３６】
図１１は、三方弁３１を弁体位置０°から弁体位置１８０°へスロー切替制御を行う場合の弁体位置変化特性を示す図である。図１１に示すように、本実施形態では、制御部７０が三方弁３１を弁体位置０°から弁体位置１８０°へスロー切替制御（スローステップ制御）を行う場合には、図１０に示す通常の切り替え制御の場合に比べて、弁体３１ｈが弁体位置０°から弁体位置１８０°に変位するまでの時間が長くなる（本実施形態では、通常の切り替え制御と比べて４倍の４０秒）ように三方弁３１のステッピングモータ３１ｆの動作を制御する。また、図１１に示すように、本実施形態では、三方弁３１を弁体位置０°から弁体位置１８０°へスロー切替制御を行う場合、弁体３１ｈを一定速度で連続的に変位（回転）させている。
【００３７】
制御部７０は、沸き上げ運転の実行中に追い焚き運転の実施要求が発生し、三方弁３１を弁体位置０°から弁体位置１８０°へ切り替えることによって沸き上げ運転からヒートポンプ追い焚き運転に移行する場合には、上述したスロー切替制御により三方弁３１を弁体位置０°から弁体位置１８０°へ切り替える。これにより、三方弁３１の通常の切り替え制御を行う場合と比較して、三方弁３１のｂポート３１ｂの循環流量の極端な流量変動を抑制可能となる。
【００３８】
ヒートポンプユニット６０で沸き上げられた湯は、貯湯タンク１０に貯えられた湯よりも高温であるため、沸き上げ運転からヒートポンプ追い焚き運転に移行した際に、仮に、三方弁３１のｂポート３１ｂの循環流量が急激に上昇し、ヒートポンプユニット６０で沸き上げられた高温の湯が一気に利用側熱交換器２２に流入したとすると、利用側熱交換器２２内の浴槽水が過剰に加熱される。このような場合には、前述した追い焚き湯温補正制御による補正が追従できないので、浴槽５０内の入浴者が不快に感じるような温度の湯が利用側熱交換器２２から浴槽５０へ流入する可能性がある。
【００３９】
これに対し、本実施形態によれば、沸き上げ運転からヒートポンプ追い焚き運転に移行する際に、上述したスロー切替制御により三方弁３１を弁体位置０°から弁体位置１８０°へ切り替えることにより、三方弁３１のｂポート３１ｂの循環流量を緩やかに上昇させ、ヒートポンプユニット６０で沸き上げられた高温の湯が利用側熱交換器２２に流れる流量を徐々に上昇させることができる。このため、利用側熱交換器２２内の浴槽水が過剰に加熱されることを確実に抑制することができ、前述した追い焚き湯温補正制御による補正が十分に追従できるため、浴槽５０内の入浴者が不快に感じるような温度の湯が利用側熱交換器２２から浴槽５０へ流入することを確実に抑制することができる。
【００４０】
上述した実施の形態では、スロー切替制御において弁体３１ｈが弁体位置０°から弁体位置１８０°に変位するまでの時間を所定値（４０秒）としたが、この時間をユーザーが設定した浴槽目標温度に基づいて調整しても良い。例えば、ユーザーが設定した浴槽目標温度が４２℃の場合にはスロー切替制御において弁体３１ｈが弁体位置０°から弁体位置１８０°に変位するまでの時間を６０秒とし、ユーザーが設定した浴槽目標温度が３８℃の場合にはスロー切替制御において弁体３１ｈが弁体位置０°から弁体位置１８０°に変位するまでの時間を４０秒とする。これにより、浴槽目標温度が高い場合であっても、浴槽５０内の入浴者が不快に感じるような温度の湯が利用側熱交換器２２から浴槽５０へ流入することをより確実に抑制することができる。
【００４１】
なお、沸き上げ運転の実行中に追い焚き運転の実施要求が発生し、三方弁３１および四方弁３２の流路形態を切り替えることによって沸き上げ運転からタンク戻し追い焚き運転に移行する場合には、スロー切替制御を行わなくても良い。貯湯タンク１０に貯えられた湯は、ヒートポンプユニット６０で沸き上げられた湯より低温であるので、三方弁３１のｂポート３１ｂの循環流量が急激に上昇したとしても、利用側熱交換器２２内の浴槽水が過剰に加熱される可能性は低いからである。
【００４２】
また、本実施形態の貯湯式給湯機１００では、沸き上げ運転、タンク戻し追い焚き運転、ヒートポンプ追い焚き運転の何れの運転においても、共通の循環ポンプ２１を用いて湯水を循環させることができるので、必要なポンプの数が少なく、製造コストの低減、装置の重量軽減および小型化を図ることができる。
【００４３】
また、本発明における流路切替手段は、上述した三方弁３１のように弁体を回転させることによって流路形態を切り替える構造のものに限定されるものではなく、例えば弁体を直線的に変位させることによって流路形態を切り替える構造のものでも良い。
【００４４】
実施の形態２．
次に、図１２を参照して、本発明の実施の形態２について説明するが、上述した実施の形態１との相違点を中心に説明し、同一部分または相当部分は同一符号を付し説明を省略する。本実施の形態２の貯湯式給湯機１００のハードウェア構成は、実施の形態１と同様であるので、説明を省略する。
【００４５】
図１２は、本実施の形態２の貯湯式給湯機１００において三方弁３１を弁体位置０°から弁体位置１８０°へスロー切替制御を行う場合の弁体位置変化特性を示す図である。図１２に示すように、本実施の形態２におけるスロー切替制御では、三方弁３１の弁体３１ｈが弁体位置０°と弁体位置１８０°との間の複数の段階で一時停止するように弁体３１ｈを断続的に変位（回転）させる。図１２に示す例では、弁体３１ｈを所定角度（例えば３６°）または所定時間（例えば５秒間）回転させた後に弁体３１ｈを所定時間（例えば５秒間）一時停止させることを繰り返し、弁体位置０°から弁体位置１８０°まで４５秒間で弁体３１ｈを変位させている。このような本実施の形態２のスロー切替制御の方法によっても、実施の形態１と同様の効果が得られる。
【００４６】
また、スロー切替制御において、図１２に示すように所定時間毎に弁体３１ｈを一時停止させることに代えて、浴槽入口側温度センサ５５により検知される追い焚き湯温を常に監視し、追い焚き湯温が目標温度（例えば、ユーザーが設定した浴槽目標温度＋５℃）以下に安定している場合には、弁体３１ｈを一段階（例えば１０°）進める方向に回転させ、追い焚き湯温が目標温度以下に安定していない場合には、追い焚き湯温が目標温度以下に安定するまで、または所定の待機時間が経過するまで、弁体３１ｈを停止させるようにしてもよい。これにより、利用側熱交換器２２から浴槽５０に流入する浴槽水の温度が上記目標温度を超えることをより確実に抑制することができる。
【００４７】
また、制御部７０は、スロー切替制御の実行中に、浴槽入口側温度センサ５５により検知される追い焚き湯温に基づいて、ヒートポンプユニット６０により供給される熱量（ヒートポンプユニット６０の加熱能力）が不足しているかどうかを判断し、ヒートポンプユニット６０により供給される熱量が不足していると判断した場合（例えば、弁体３１ｈを一段階または複数段階連続して回転させた後にも追い焚き湯温が目標温度以下に安定している場合）には、スロー切替制御を中止して、弁体３１ｈを通常の速さで弁体位置１８０°まで変位させるようにしても良い。これにより、ヒートポンプユニット６０により供給される熱量が不足しており、利用側熱交換器２２内の浴槽水が過剰に加熱されるおそれがない場合には、三方弁３１の切り替えを迅速に行い、ヒートポンプユニット６０から利用側熱交換器２２への循環流量を素早く上昇させることにより、追い焚き加熱能力を向上させることができる。
【００４８】
実施の形態３．
次に、図１３を参照して、本発明の実施の形態３について説明するが、上述した実施の形態との相違点を中心に説明し、同一部分または相当部分は同一符号を付し説明を省略する。本実施の形態３の貯湯式給湯機１００のハードウェア構成は、実施の形態１と同様であるので、説明を省略する。
【００４９】
図１３は、本実施の形態３の貯湯式給湯機１００において三方弁３１を弁体位置０°から弁体位置１８０°へスロー切替制御を行う場合の弁体位置変化特性を示す図である。図１３に示すように、本実施の形態３におけるスロー切替制御では、三方弁３１の弁体３１ｈが弁体位置０°と弁体位置１８０°との間の複数の段階で一時停止するように弁体３１ｈを断続的に変位（回転）させる点では実施の形態２と同様であるが、一段階当たりの弁体３１ｈの変位量（ここでは回転角度）を途中で変化させる点で実施の形態２と相違する。
【００５０】
図９に示すように、三方弁３１の弁体３１ｈの変位に伴って流量はリニアに変化するのではなく、弁体３１ｈの位置によって、弁体３１ｈの変位に対して流量が急激に変化する領域と流量変化が緩やかな領域とが存在する。すなわち、弁体位置９０°を含む中間領域では弁体３１ｈの変位に対して流量が急激に変化する。これに対し、切替初期の領域および切替完了付近の領域では、弁体３１ｈの変位に対して流量変化が緩やかである。
【００５１】
上記の事項に鑑み、本実施の形態３のスロー切替制御では、以下のような制御を行う。図１３に示すように、切替開始から切替完了までの動作を複数の領域に分割し、切替初期から極端な流量変動が発生するまでの領域（例えば弁体位置０°〜６０°）を第一領域とし、この第一領域では１回の動作で三方弁３１を動作させる。すなわち、第一領域では、一段階当たりの弁体３１ｈの回転角度を６０°とする。その後、弁体３１ｈを一定時間（例えば７．５秒）停止させる。次に、第一領域の終点（ここでは弁体位置６０°）から極端な流量変動が発生する領域（例えば弁体位置６０°〜１６０°）を第二領域とする。この第二領域では、一段階当たりの弁体３１ｈの回転角度を第一領域よりも小さい回転角度（例えば１０°）とし、複数回に分けて弁体３１ｈを断続的に動作させ、各回の動作後は各々一定時間（例えば２．５秒）弁体３１ｈを停止させる。最後に、第二領域の終点（ここでは弁体位置１６０°）から切替完了までの領域（ここでは弁体位置１６０°〜１８０°）を第三領域とする。この第三領域では、一段階当たりの弁体３１ｈの回転角度を第二領域のよりも大きい回転角度（ここでは２０°）とし、第三領域の終点（ここでは弁体位置１８０°）まで１回の動作で切り替える。このような本実施の形態３のスロー切替制御によれば、弁体３１ｈの変位に対して流量が急激に変化し、利用側熱交換器２２内の浴槽水を過剰に加熱する可能性のある領域のみ弁体３１ｈを緩慢に動作させることで、利用側熱交換器２２内の浴槽水を過剰に加熱することを確実に防止しつつ、三方弁３１の切替開始から切替完了までの時間を実施の形態１および２と比べて短縮することができる。
【００５２】
また、スロー切替制御では、上記と同様の考え方に基づき、予め実験で得られた三方弁３１の弁体３１ｈの位置による流量特性に応じて、所定時間毎（例えば１０秒毎）に弁体３１ｈを一段階回転させる場合の一段階当たりの回転角度を可変とし、利用側熱交換器２２に流入する流量が極端に増加する弁体位置領域では弁体３１ｈの一段階当たりの回転角度を小さい角度（例えば５°）とし、利用側熱交換器２２に流入する流量が極端に変化しない弁体位置領域では弁体３１ｈの一段階当たりの回転角度を大きい角度（例えば２０°）とするように制御しても良い。これにより、上記と同様の効果が得られる。また、この場合において、三方弁３１の切替途中の、ヒートポンプユニット６０からタンク上部配管４３および上部口１５を経由して貯湯タンク１０の上部領域へ流入する流量と、ヒートポンプユニット６０からタンク上部配管４３および利用側熱交換器一次側入口配管４５を経由して利用側熱交換器２２へ流入する流量との比率を予め実験で把握し、その流量比に基づき、流量比率が急激に変化することのないように、弁体３１ｈの一段階当たりの回転角度を設定することが好ましい。これにより、ヒートポンプユニット６０から利用側熱交換器２２へ流入する流量の急増をより確実に防止することができる。さらに、その実験で把握された流量比率に基づき、弁体３１ｈの一段階当たりの回転角度を、利用側熱交換器２２から浴槽５０へ供給される浴槽水の温度（すなわち追い焚き湯温）の温度変動が最も小さくなる回転角度に設定してもよい。
【００５３】
また、上述した各実施の形態では、三方弁３１を弁体位置０°から１８０°へ切り替える場合について説明したが、三方弁３１を弁体位置１８０°から０°へ切り替える時にも、利用側熱交換器２２内の浴槽水の過剰加熱、もしくは、加熱能力不足が発生する場合には、同様のスロー切替制御を適用してもよい。
【００５４】
さらに、上述した各実施の形態では、沸き上げ運転の実行中に発生した追い焚き運転の実施要求に応じるためにヒートポンプ追い焚き運転に移行する場合の三方弁３１のスロー切替制御について説明したが、給湯混合弁３３からの給湯動作中に発生した追い焚き運転の実施要求に応じるためにヒートポンプ追い焚き運転またはタンク戻し追い焚き運転を開始する場合に、給湯配管３の流量が極端に減少し、給湯混合弁３３から外部給湯栓に供給する湯水の温度が極端に変動するといった課題への対処においても、三方弁３１の切り替えにスロー切替制御を適用することで、外部給湯栓に供給する湯水の温度の変動を抑制することが可能である。
【符号の説明】
【００５５】
１  貯湯タンクユニット、２，４  給水配管、３  給湯配管、５  混合給湯配管、
１０  貯湯タンク、１１，１２  貯湯温度センサ、１４  給水口、１５  上部口、
１６  下部口、１７  戻し口、２１  循環ポンプ、２２  利用側熱交換器、
３１  三方弁、３１ａ  ａポート、３１ｂ  ｂポート、３１ｃ  ｃポート、
３１ｅ  弁枠、３１ｆ  ステッピングモータ、３１ｇ  回転軸、３１ｈ  弁体、
３１ｉ  連通部、３２  四方弁、３３  給湯混合弁、４０  タンク下部配管、
４１  ヒートポンプ入口配管、４２  ヒートポンプ出口配管、４３  タンク上部配管、
４４  タンク戻し配管、４５  利用側熱交換器一次側入口配管、
４６  利用側熱交換器一次側出口配管、４７  バイパス配管、５０  浴槽、
５１  浴槽水循環回路、５２  二次側循環ポンプ、５３  浴槽出口側温度センサ、
５５  浴槽入口側温度センサ、６０  ヒートポンプユニット、６１  圧縮機、
６２  沸き上げ用熱交換器、６３  膨張弁、６４  空気熱交換器、６５  冷媒循環配管、
６６  ＨＰ出口側温度センサ、７０  制御部、１００  貯湯式給湯機
【図１】
2014020760.tif 000003
【図２】
2014020760.tif 000004
【図３】
2014020760.tif 000005
【図４】
2014020760.tif 000006
【図５】
2014020760.tif 000007
【図６】
2014020760.tif 000008
【図７】
2014020760.tif 000009
【図８】
2014020760.tif 000010
【図９】
2014020760.tif 000011
【図１０】
2014020760.tif 000012
【図１１】
2014020760.tif 000013
【図１２】
2014020760.tif 000014
【図１３】
2014020760.tif 000015